(57)【特許請求の範囲】
【請求項１】
前身頃及び後身頃を有する外側シート基材及び内側シート基材で形成された外装シートと、この外装シートの内面に固定された、身体側となる表面シートと、液不透過性シートと、これらの間に介在された吸収体とを含む内装体とを備え、前記外装シートの前身頃と後身頃とが両側部において接合されることにより、ウエスト開口部及び左右一対のレッグ開口部が形成された、パンツタイプ使い捨ておむつにおいて、
前記前身頃及び後身頃のウエスト開口部に伸縮性を有するウエスト伸縮部を有し、
前記前身頃及び後身頃の少なくとも一方に、前後方向に前記ウエスト伸縮部からレッグ開口部にかけて幅方向に伸縮可能な胴周り伸縮部を有し、
前記前身頃及び／又は後身頃の胴周り伸縮部に、両側部の接合部近傍から少なくとも前記液不透過性シート上まで幅方向に延在する左右一組の帯状の切り開き部を有し、
前記切り開き部は、側端部側を残し、幅方向中央部から側端部に向かって切り開かれて幅方向外側に向かって延出させられるように構成され、
前記外装シートの前記切り開き部該当部分は、前記外側シート基材が前記内側シート基材のウエスト側の縁を周り込んでその内側に折り返され、この折り返し部分が前記内装体を被覆するように延在されて三層構造とされており、前記切り開き部は外側２層よりなり、前記切り開き部と前記外側シート基材の折り返し部分で形成された内側の層とは接合されておらず、
前記切り開き部を折り返すことで、前記外側２層に生じた開口からは、前記液不透過性シート及び前記内側の層が露出し、
少なくともいずれか一方の切り開き部の内側面に係止手段を有し、この係止手段の内側の当接面は前記液不透過性シートである、
ことを特徴とするパンツタイプ使い捨ておむつ。
【請求項２】
前記胴周り伸縮部は、幅方向に沿って延在する細長状の腰周り弾性部材が縦方向に間隔を空けて３本以上接着されて形成されてなり、前記切り開き部は少なくとも１本の腰周り弾性部材を有する、請求項１記載のパンツタイプ使い捨ておむつ。
【請求項３】
前記切り開き部が、ミシン目により外装シートより切り開かれ、前記ミシン目を切り開くのに要する力が０．１〜１０ｋｇｆ／２５ｍｍである、請求項１又は請求項２記載のパンツタイプ使い捨ておむつ。
【請求項４】
前記外装シートが不織布で、前記液不透過性シートがプラスチックフィルムであり、
前記係止手段が面ファスナーのフックテープである、
請求項１〜３のいずれか１項に記載のパンツタイプ使い捨ておむつ。
【発明の詳細な説明】
【技術分野】
【０００１】
本発明は、廃棄時に丸めた状態で固定する手段に特徴を有するパンツタイプ使い捨ておむつに関するものである。
【背景技術】
【０００２】
一般に、パンツタイプ使い捨ておむつは、使用後に排泄物の付着面が内側となるように丸め若しくは折り畳み（以下、廃棄状態ともいう）、おむつ保管容器等の密閉性の高い保管容器に入れて一時保管し、容器内の貯留量がある程度に達したらゴミ袋に入れて廃棄するといった使用形態がとられている。
【０００３】
図１７に、従来のパンツタイプ使い捨ておむつの廃棄状態の参考写真を示す。パンツタイプ使い捨ておむつを丸めた状態で固定する後処理手段としては、例えば、後側部分のウエスト側端部近傍の外面の幅方向中央に別部材の粘着テープを設けることが一般的となっている。
【０００４】
特許文献１及び特許文献２に開示されるパンツタイプ使い捨ておむつにおいては、使用後に外装シートの一部を剥離することで、当該剥離部分を後処理手段として使用することができる。このように外装シートの一部を後処理手段とすることで、別部材を後処理手段として設けるのに比して、原料コストや製造工程を減じることができる、別部材を貼付することにより外装シート表面の風合いを損なうことがない、等の利点を有するものであった。
【先行技術文献】
【特許文献】
【０００５】
【特許文献１】特開平１１−１０４１７１号公報
【特許文献２】特開２００３−１６９８２４号公報
【発明の概要】
【発明が解決しようとする課題】
【０００６】
しかしながら、特許文献１及び特許文献２に開示されるパンツタイプ使い捨ておむつの後処理手段は、いずれもおむつの幅方向中央部に位置し、おむつの長手方向に延在して、丸めたおむつを固定するものである。このような従来の手段では、排泄物がレッグ開口部の外側にまではみ出ている場合、丸める際若しくは後処理後に、レッグ開口部の排泄物により、処理者の手指若しくは他の物品が汚染されるおそれがあった。
【０００７】
そこで、本発明の主たる課題は、排泄物が脚部開口より手指や他の物品を汚染しにくい、後処理手段を有するパンツタイプ使い捨ておむつを提供することである。
【課題を解決するための手段】
【０００８】
上記課題を解決した本発明は次記のとおりである。
＜請求項１記載の発明＞
前身頃及び後身頃を有する外側シート基材及び内側シート基材で形成された外装シートと、この外装シートの内面に固定された、身体側となる表面シートと、液不透過性シートと、これらの間に介在された吸収体とを含む内装体とを備え、前記外装シートの前身頃と後身頃とが両側部において接合されることにより、ウエスト開口部及び左右一対のレッグ開口部が形成された、パンツタイプ使い捨ておむつにおいて、
前記前身頃及び後身頃のウエスト開口部に伸縮性を有するウエスト伸縮部を有し、
前記前身頃及び後身頃の少なくとも一方に、前後方向に前記ウエスト伸縮部からレッグ開口部にかけて幅方向に伸縮可能な胴周り伸縮部を有し、
前記前身頃及び／又は後身頃の胴周り伸縮部に、両側部の接合部近傍から少なくとも前記液不透過性シート上まで幅方向に延在する左右一組の帯状の切り開き部を有し、
前記切り開き部は、側端部側を残し、幅方向中央部から側端部に向かって切り開かれて幅方向外側に向かって延出させられるように構成され、
前記外装シートの前記切り開き部該当部分は、前記外側シート基材が前記内側シート基材のウエスト側の縁を周り込んでその内側に折り返され、この折り返し部分が前記内装体を被覆するように延在されて三層構造とされており、前記切り開き部は外側２層よりなり、前記切り開き部と前記外側シート基材の折り返し部分で形成された内側の層とは接合されておらず、
前記切り開き部を折り返すことで、前記外側２層に生じた開口からは、前記液不透過性シート及び前記内側の層が露出し、
少なくともいずれか一方の切り開き部の内側面に係止手段を有し、この係止手段の内側の当接面は前記液不透過性シートである、
ことを特徴とするパンツタイプ使い捨ておむつ。
【０００９】
（作用効果）
本発明に係るパンツタイプ使い捨ておむつは、前側部分と後側部分とを合わせた二つ折り状態で前後方向中央部側から前後端側に巻いて丸めて廃棄状態にする際に、前身頃又は後身頃の胴周り伸縮部の両側部周辺を含む部材の一部を帯状に切り開き、左右両側の当該帯状の部材を、丸めた廃棄状態のおむつの両側端より包み込むように中央部付近で近接させ、係合、結束等により結合させることができる。帯状の切り開き部を後身頃に設ける場合は、前後方向中央部を前端側に向かって丸め、前身頃に設ける場合は、後端部に向かって丸める構成とするのが好ましい。
【００１０】
このように、後処理手段を前後方向ではなく、幅方向に延在させることにより、廃棄状態で、おむつの脚周り開口を、後処理手段自体、又は、後処理手段に追従する前後身頃の側端部材が覆う形態となる。そのため、脚周り開口が塞がれ、当該開口からの排泄物の漏れが軽減される。
【００１１】
また、身頃の一部を切り開いて後処理手段とすることで、帯状の別部材を設けることなく後処理が可能である。そのため、別部材を設けることによるコストの低減を図ることができる、別部材を設けることにより着用感が損なわれることを防ぐことができる、等の利点を有する。
【００１２】
さらに、前後身頃のうち、幅方向に弾性部材が配された胴周り伸縮部に後処理手段形成用の切り開き部を設けることにより、切り開かれた後の後処理手段が幅方向に伸縮性を有する構成とした。後処理手段が伸縮性を有することで、後処理をより容易とした。
【００１３】
なお、胴周り伸縮部の弾性部材が配されていない部分に切り開き部を設けたとしても、切り開き部は幅方向外側に延出可能であり、後処理手段として充分に利用可能である。
外装シートの３層構造以上の部分に切り開き部分を設け、外側２層を切り開き、後処理手段とすると、切り開いた後に外装シートに穴があき、この部分から排泄物が漏れる、という事態を防ぐことができる。また、後処理部分を２層とすることで、その強度を増すことができる。また、細長状の弾性部材を有する場合は、切り開き部の２層の不織布の間に弾性部材をホットメルト接着剤等により固定することもでき、後処理手段として使用する際に弾性部材が露出することによる、当該部分の手触り、美粧性の低下を防ぐことができる。
帯状の切り開き部を、中央部から側端部に向かって切り開く形状とし、切り開いた帯状部材を幅方向外側に折り返すことにより、帯状の後処理部材を幅方向に長く延出させることができ、両後処理部材の結合をより容易に行うことができる。
【００１４】
＜請求項２記載の発明＞
前記胴周り伸縮部は、幅方向に沿って延在する細長状の腰周り弾性部材が縦方向に間隔を空けて３本以上接着されて形成されてなり、前記切り開き部は少なくとも１本の腰周り弾性部材を有する、請求項１記載のパンツタイプ使い捨ておむつ。
【００１５】
（作用効果）
胴周り伸縮部は、それ自体が伸縮性を有する素材を外装シート用部材として使用してもよいが、それ自体に伸縮性のない素材であっても、細長状の弾性部材を複数接着することで、全体的に伸縮性を有し、胴周り伸縮部を構成することができる。これにより、肌触り、風合いのよい不織布等を外装シートの素材として選択することが可能である。
【００１６】
この場合、後処理手段に伸縮性を持たせるためには、細長状の弾性部材のうち、少なくとも一本は、前記切り開き部に配される必要がある。
【００１７】
【００１８】
【００１９】
＜請求項３記載の発明＞
前記切り開き部が、ミシン目により外装シートより切り開かれ、前記ミシン目を切り開くのに要する力が０．１〜１０ｋｇｆ／２５ｍｍである、請求項１又は請求項２記載のパンツタイプ使い捨ておむつ。
【００２０】
（作用効果）
後処理手段をミシン目により外装シート上に形成し、ミシン目の切り開き強度を規定することにより、着用時に誤ってミシン目が切れたり、使用後に後処理手段として切り開くのが困難であったりするリスクを軽減することができる。
【００２１】
＜請求項４記載の発明＞
前記外装シートが不織布で、前記液不透過性シートがプラスチックフィルムであり、
前記係止手段が面ファスナーのフックテープである、
請求項１〜３のいずれか１項に記載のパンツタイプ使い捨ておむつ。
【００２２】
【００２３】
【００２４】
（参考となる作用効果）
切り開き部を側端部から幅方向中央部に向かって切り開く形状とする場合は、使用後の使い捨ておむつの接合部を剥離する際に切り開き部の側端部側が切られ、切り開き部が完全に外装シートから脱落するリスクを軽減することができる。
【発明の効果】
【００２５】
以上のとおり、本発明によれば、長手方向中央部が内側となるように巻いて丸める際に、両側部から後処理手段を側端部を包み込むように結合させることができ、これにより、レッグ開口部に付着した排泄物による手指等の汚染を軽減することができる。
【図面の簡単な説明】
【００２６】
【図１】第１の形態に係るパンツタイプ使い捨ておむつの内面を示す、おむつを展開した状態における平面図である。
【図２】第１の形態に係るパンツタイプ使い捨ておむつの外面を示す、おむつを展開した状態における平面図である。
【図３】図１の３−３断面図である。
【図４】図１の４−４断面図である。
【図５】図１の５−５断面図である。
【図６】図１の６−６断面図である。
【図７】パンツタイプ使い捨ておむつの要部のみを示す、断面図である。
【図８】製品状態の正面図である。
【図９】製品状態の背面図である。
【図１０】後処理手段を切り開いた状態の背面図である。
【図１１】後処理方法を示す概略斜視図である。
【図１２】後処理後の状態を示す概略斜視図である。
【図１３】第２の形態に係るパンツタイプ使い捨ておむつの製品状態の背面図及び一部拡大図である。
【図１４】第３の形態に係るパンツタイプ使い捨ておむつの製品状態の背面図である。
【図１５】第４の形態に係るパンツタイプ使い捨ておむつの後処理手段を切り開いた状態の背面図である。
【図１６】第５の形態に係るパンツタイプ使い捨ておむつの外面を示す、おむつを展開した状態における平面図である。
【図１７】従来のパンツタイプ使い捨ておむつの後処理手段の例を示す写真である。
【発明を実施するための形態】
【００２７】
以下、本発明の実施形態について、添付図面を参照しつつ詳説する。
＜第１の形態＞
図１〜図１２は、パンツタイプ使い捨ておむつ（以降、「おむつ」とも表記する）の第１の形態を示している。このパンツタイプ使い捨ておむつは、製品外面（裏面）をなす外装シート１２と、外装シートの内面に貼り付けられた内装体２００とから構成されているものである。内装体２００は、尿等の排泄物等を吸収保持する部分であり、外装シート１２は着用者に装着するための部分である。
【００２８】
本形態における接着部分とは、具体的には、ホットメルト接着剤などのベタ、ビード、カーテン、サミット又はスパイラル塗布などにより形成されるものである。また、「前後方向」とは腹側（前側）と背側（後側）を結ぶ方向を意味し、「幅方向」とは前後方向と直交する方向（左右方向）を意味し、「上下方向」とはおむつの装着状態、すなわちおむつの前身頃両側部と後身頃両側部を重ね合わせるようにおむつを股間部で２つに折った際に胴周り方向と直交する方向、換言すればウエスト開口部ＷＯ側と股間部側とを結ぶ方向を意味する。
【００２９】
（内装体）
内装体２００は任意の形状を採ることができるが、図示の形態では長方形である。内装体２００は、図３〜図５に示されるように、身体側となる表面シート３０と、液不透過性シート１１と、これらの間に介在された吸収要素５０とを備えているものであり、本発明の本体部に相当するものである。符号４０は、表面シート３０を透過した液を速やかに吸収要素５０へ移行させるために、表面シート３０と吸収要素５０との間に設けられた中間シート（セカンドシート）を示しており、符号６０は、内装体２００の両脇に排泄物が漏れるのを防止するために、内装体２００の両側に設けられた、身体側に起立するバリヤーカフス６０を示している。
【００３０】
（表面シート）
表面シート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００３１】
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよい。
【００３２】
バリヤーカフス６０を設ける場合、表面シート３０の両側部は、液不透過性シート１１とバリヤーカフス６０との間を通して、吸収要素５０の裏側まで周り込ませ、液の浸透を防止するために、液不透過性シート１１及びバリヤーカフス６０に対してホットメルト接着剤等により接着するのが好ましい。
【００３３】
（中間シート）
表面シート３０を透過した液を速やかに吸収体へ移行させるために、表面シート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、表面シート３０上を常に乾燥した状態とすることができる。中間シート４０は省略することもできる。
【００３４】
中間シート４０としては、表面シート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．２〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００３５】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００３６】
（液不透過性シート）
液不透過性シート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。液不透過性シート１１には、近年、ムレ防止の観点から好まれて使用されている液不透過性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。このほかにも、マイクロデニール繊維を用いた不織布、熱や圧力をかけることで繊維の空隙を小さくすることによる防漏性強化、高吸水性樹脂又は疎水性樹脂や撥水剤の塗工といった方法により、プラスチックフィルムを用いずに液不透過性としたシートも、液不透過性シート１１として用いることができる。
【００３７】
液不透過性シート１１は、防漏性を高めるために、吸収要素５０の両側を周り込ませて吸収要素５０の表面シート３０側面の両側部まで延在させるのが好ましい。この延在部の幅は、左右それぞれ５〜２０ｍｍ程度が適当である。
【００３８】
また、液不透過性シート１１の内側、特に吸収体５６との間に、液分との接触により色が変化する排泄インジケータを設けることができる。排泄インジケータはおむつの長手方向に沿って設けるのが好ましいが、後述するバンド９０と重ならないように、バンド９０に沿って設けるのが望ましい。
【００３９】
（バリヤーカフス）
バリヤーカフス６０は、内装体２００の両側部に沿って前後方向全体にわたり延在する帯状部材であり、表面シート３０上を伝わって横方向に移動する尿や軟便を遮断し、横漏れを防止するために設けられているものである。本実施の形態のバリヤーカフス６０は、内装体２００の側部から起立するように設けられ、付け根側の部分は幅方向中央側に向かって斜めに起立し、中間部より先端側の部分は幅方向外側に向かって斜めに起立するものである。
【００４０】
より詳細には、バリヤーカフス６０は、内装体２００の前後方向長さに等しい長さを有する帯状のバリヤーシート６２を幅方向に折り返して二つに折り重ねるとともに、折り返し部分及びその近傍のシート間に、細長状弾性伸縮部材６３を長手方向に沿って伸長状態で、幅方向に間隔をあけて複数本固定してなるものである。バリヤーカフス６０のうち幅方向において折り返し部分と反対側の端部は内装体２００の側縁部の裏面に固定された取付部分６５とされ、この取付部分６５以外の部分は取付部分６５から突出する突出部分６６（折り返し部分側の部分）とされている。また、突出部分６６のうち前後方向両端部は、取付部分６５から内装体２００の側部を通り表面シート３０の側部表面まで延在し且つこの表面シート３０の側部表面に対してホットメルト接着剤やヒートシールによる前後固定部６７固定された付け根側部分と、この付け根側部分の先端から幅方向外側に折り返され且つ付け根側部分に固定された先端側部分とからなる。突出部分のうち前後方向中間部は非固定の自由部分（内側自由部分）とされ、この自由部分に前後方向に沿う細長状弾性部材６３が伸長状態で固定されている。
【００４１】
バリヤーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコンなどにより撥水処理を施したものを好適に用いることができ、繊維目付けは１０〜３０ｇ／ｍ2程度とするのが好ましい。細長状弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。なお、用語「伸長率」とは、自然長を１００％としたときの値を意味する。また、図示のように、二つに折り重ねたバリヤーシートの間に防水フィルムを介在させることもできる。
【００４２】
バリヤーカフス６０の自由部分に設けられる細長状弾性伸縮部材６３の本数は２〜６本が好ましく、３〜５本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。
【００４３】
バリヤーカフス６０の取付部分６５の固定対象は、内装体２００における表面シート３０、液不透過性シート１１、吸収要素５０等適宜の部材とすることができる。
【００４４】
かくして構成されたバリヤーカフス６０では、細長状弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図３に示すように身体側に当接するように起立する。特に、取付部分６５が内装体２００の裏面側に位置していると、股間部及びその近傍においてバリヤーカフス６０が幅方向外側に開くように起立するため、バリヤーカフス６０が脚周りに面で当接するようになり、フィット性が向上するようになる。
【００４５】
バリヤーカフス６０の寸法は適宜定めることができるが、乳幼児用紙おむつの場合は、例えば図７に示すように、バリヤーカフス６０の起立高さ（展開状態における突出部分６６の幅方向長さ）Ｗ６は１５〜６０ｍｍ、特に２０〜４０ｍｍであるのが好ましい。また、バリヤーカフス６０を表面シート３０表面と平行になるように、平坦に折り畳んだ状態において最も内側に位置する折り目間の離間距離Ｗ３は６０〜１９０ｍｍ、特に７０〜１４０ｍｍであるのが好ましい。
【００４６】
なお、図示形態と異なり、内装体２００の左右各側においてバリヤーカフスを二重に（二列）設けることもできる。
【００４７】
（吸収要素）
吸収要素５０は、吸収体５６と、この吸収体５６の全体を包む包装シート５８とを有する。包装シート５８は省略することもできる。
【００４８】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００４９】
吸収体５６は長方形形状でも良いが、図１にも示すように、前端部、後端部及びこれらの間に位置し、前端部及び後端部と比べて幅が狭い括れ部とを有する砂時計形状を成していると、吸収体５６自体とバリヤーカフス６０の、脚周りへのフィット性が向上するため好ましい。
【００５０】
また、吸収体の寸法は適宜定めることができるが、前後方向及び幅方向において、内装体の周縁部又はその近傍まで延在しているのが好ましい。
【００５１】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００５２】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００５３】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００５４】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００５５】
必要であれば、高吸収性ポリマー粒子は、吸収体５６の平面方向で散布密度あるいは散布量を調整できる。たとえば、液の排泄部位を他の部位より散布量を多くすることができる。男女差を考慮する場合、男用は前側の散布密度（量）を高め、女用は中央部の散布密度（量）を高めることができる。また、吸収体５６の平面方向において局所的（例えばスポット状）にポリマーが存在しない部分を設けることもできる。
【００５６】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００５７】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後から食み出させ、この食み出し部分を表裏方向に潰してホットメルト接着剤等の接合手段により接合する形態が好ましい。
【００５８】
（外装シート）
外装シート１２は、股間部から腹側に延在する腹側部分Ｆと、股間部から背側に延在する背側部分Ｂとを有し、これら腹側部分Ｆの両側部と背側部分Ｂの両側部とが接合されて、図８及び図９に示すように、装着者の胴を通すための胴開口部ＷＯ及び脚を通すための左右一対の脚開口部ＬＯが形成されているものである。符号１２Ａは接合部分を示している（以下、この部分をサイドシール部ともいう）。なお、股間部とは、展開状態における腹側部分のウエスト端縁から背側部分のウエスト端縁までの前後方向中央を意味し、それよりも前側の部分及び後側の部分が腹側部分Ｆ及び背側部分Ｂをそれぞれ意味する。
【００５９】
外装シート１２は、胴開口部ＷＯから脚開口部ＬＯの上端に至る前後方向範囲として定まる胴周り部Ｔと、脚開口部ＬＯを形成する部分の前後方向範囲として定まる中間部Ｌとを有する。胴周り部Ｔは、概念的に「ウエスト側端部」Ｗと「胴周り下部」Ｕとに分けることができる。これらの前後方向の長さは、製品のサイズによって異なり、適宜定めることができるが、一例を挙げると、ウエスト側端部Ｗは１５〜４０ｍｍ、胴周り下部Ｕは６５〜１２０ｍｍとすることができる。一方、中間部Ｌの両側縁は被着者の脚周りに沿うように括れており、ここが着用者の脚を入れる部位となる。この結果、外装シート１２は、全体としては略砂時計形状をなしている。外装シート１２の括れの程度は適宜定めることができ、図１〜図１０に示す形態のように、すっきりとした外観とするために最も幅が狭い部分では内装体２００の幅より狭くすることもできるが、最も幅が狭い部分でも内装体２００の幅以上となるように定めることもできる。
【００６０】
外装シート１２は、図３〜図７に示されるように、二枚のシート基材１２Ｓ，１２Ｈをホットメルト接着剤等の接着剤により張り合わせて形成されるものであり、内側に位置する内側シート基材１２Ｈはウエスト開口部ＷＯの縁までしか延在していないが、外側シート基材１２Ｓは内側シート基材１２Ｈのウエスト側の縁を周り込んでその内側に折り返されており、この折り返し部分１２ｒは内装体２００のウエスト側端部上までを被覆するように延在されている。そのため、折り返し部分１２ｒにおいて、外装シートは三層構造となっている（図中ＴＬと表記）。なお、外装シート１２は、おむつの通気性やシートとしての柔軟性を損なわなければ、二層又は三層に限定させるものではなく、四層以上を有する構造としてもよい。
【００６１】
シート基材１２Ｓ，１２Ｈとしては、シート基材であれば特に限定無く使用できるが、不織布であるのが好ましい。不織布は、その原料繊維が何であるかは特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その坪量は１０〜３０ｇ／ｍ2程度とするのが好ましい。
【００６２】
そして、図示例において、外装シート１２には、胴周りに対するフィット性を高めるために、両シート基材１２Ｓ，１２Ｈ間に糸ゴム等の細長状弾性伸縮部材１５〜１９が所定の伸長率で設けられている。なお、外装シートに伸縮性のシート、好適には伸縮性不織布を配し、細長状弾性伸縮部材１５〜１９を配しない構造としてもよい。又は、伸縮性不織布と細長状弾性伸縮部材の両方を用いてもよい（図示せず）。
【００６３】
細長状弾性伸縮部材１５〜１９としては、合成ゴムを用いても、天然ゴムを用いても良い。外装シート１２の両シート基材１２Ｓ，１２Ｈの貼り合せや、その間に挟まれる細長状弾性伸縮部材１５〜１９の固定には種々の塗布方法によるホットメルト接着又はヒートシールや超音波接着を用いることができる。外装シート１２全面を強固に固定するとシートの風合いを損ねるため好ましくない。これらを組合せ、細長状弾性伸縮部材１５〜１９の接着は強固にし、それ以外の部分は接着しないか弱く接着するのが好ましい。
【００６４】
具体的には、背側部分Ｂ及び腹側部分Ｆのウエスト端部（上端部）Ｗにおける内側シート基材１２Ｈの内側面と外側シート基材１２Ｓの折り返し部分１２ｒの外側面との間には、幅方向全体にわたり連続するように、複数のウエスト部弾性伸縮部材１７，１８が上下方向に間隔を空けて、かつ所定の伸長率で幅方向に沿って伸長された状態で固定されている。また、ウエスト部弾性伸縮部材１７，１８のうち、胴周り下部Ｕに隣接する領域に配設される１本又は複数本については、内装体２００と重なっていてもよいし、内装体２００と重なる幅方向中央部を除いてその幅方向両側にそれぞれ設けてもよい。このウエスト弾性伸縮部材１７，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸長率１５０〜４００％、特に２２０〜３２０％程度で固定するのが好ましい。また、ウエスト部弾性伸縮部材１７，１８は、その全てが同じ太さと伸長率にする必要はなく、例えばウエスト側端部Ｗの上部と下部で弾性伸縮部材の太さと伸長率が異なるようにしてもよい。
【００６５】
また、腹側部分Ｆ及び背側部分Ｂの胴周り下部Ｕにおける内側シート基材１２Ｈの外側面と外側シート基材１２Ｓの内側面との間には、内装体２００と重なる幅方向中央部を除いて、その上側および幅方向両側の各部位に、幅方向全体にわたり連続するように、複数の細長状弾性伸縮部材１５，１９が上下方向に間隔を空けて、かつ所定の伸長率で幅方向に沿って伸長された状態で固定されている。
【００６６】
胴周り下部Ｕの細長状弾性伸縮部材１５，１９としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸長率２００〜３５０％、特に２４０〜３００％程度で固定するのが好ましい。
【００６７】
また、腹側部分Ｆ及び背側部分Ｂの中間部Ｌにおける内側シート基材１２Ｈの外側面と外側シート基材１２Ｓの内側面との間には、内装体２００と重なる幅方向中央部を除いて、その幅方向両側の各部位に、幅方向全体にわたり連続するように、複数の細長状弾性伸縮部材１６が上下方向に間隔を空けて、かつ所定の伸長率で幅方向に沿って伸長された状態で固定されている。
【００６８】
中間部Ｌの細長状弾性伸縮部材１６，１８としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸長率１５０〜３００％、特に１８０〜２６０％で固定するのが好ましい。
【００６９】
なお、図示のように、胴周り下部Ｕ及び中間部Ｌの細長状弾性伸縮部材１５，１９，１６，１８が、内装体２００と重なる幅方向中央部を除いてその幅方向両側にそれぞれ設けられていると、内装体２００が幅方向に必要以上に収縮することがなく、モコモコと見た目が悪かったり吸収性が低下したりすることがないため好ましい。この形態には、幅方向両側にのみ弾性伸縮部材が存在する形態の他、内装体２００を横切ってその幅方向一方側から他方側まで弾性伸縮部材が存在しているが、内装体２００と重なる幅方向中央部では弾性伸縮部材が切断され、伸縮力が作用しない（実質的には、弾性伸縮部材を設けないことに等しい）ように構成されている形態も含まれる。もちろん細長状弾性伸縮部材１５，１９，１６，１８の配設形態は上記例に限るものではなく、胴周り下部Ｕの幅方向全体にわたり伸縮力が作用するように、胴周り下部Ｕの細長状弾性伸縮部材１５，１９，１６，１８の一部又は全部を、内装体２００を横切ってその幅方向一方側から他方側まで設けることもできる。
【００７０】
（外装シート分割構造）
図示例では、腹側部分Ｆから背側部分Ｂまでを一体的な外装シート１２により連続的に覆っているが、外装シートが、装着者の胴周りのうち腹側を覆う腹側外装シートと背側を覆う背側外装シートとに分割されており、腹側外装シートの幅方向中央部内面に内装体の前端部がホットメルト接着剤等により連結されるとともに、背側外装シートの幅方向中央部内面に内装体の後端部がホットメルト接着剤等により連結されており、腹側外装シートと背側外装シートとが股間側で連続しておらず、離間されている形態も採用することができる。この離間距離は１５０〜２５０ｍｍ程度とすることができる。この場合、内装体における液不透過性シートの裏面には、内装体の裏面全体を覆うように、あるいは腹側外装シートと背側外装シートとの間に露出する部分全体を覆うように、股間部外装シートを固定することもできる。股間部外装シートとしては、前述した外装シートに用いられるものと同様の資材を用いることができる。
【００７１】
（後処理手段）
図２，５，６および９に示すように、本実施形態のパンツタイプ使い捨ておむつの背側の外装シートの三層部分ＴＬには、後処理手段として使用するための左右一対の帯状の切り開き部１０１を設ける。切り開き部１０１は、図示例においては、接合部１２Ａより中央寄りを起端として内装体当接部まで延在し、幅方向中央近傍を末端としている。本形態においては、切り開き部１０１の幅方向の長さを確保するため、切り開き部１０１の中央側末端は近接させることが好ましい。両末端の距離は０〜１４０ｍｍ、各切り開き部の幅方向の長さは４０ｍｍ以上とすることが好ましい。一方、切り開き部１０１の起端部を接合部１２Ａに近接させすぎると、後処理時に接合部１２Ａを剥がす際に幅方向に裂け目が生じた場合、切り開き部１０１が外装シートから脱落・分離する可能性がある。そのため、切り開き部１０１の起端部は、それぞれ接合部１２Ａから０．５〜２０ｍｍとすることが好ましい。切り開き部１０１の前後方向の長さは、三層部分ＴＬの領域からはみ出さない程度に、５〜４０ｍｍ、特に１０〜２５ｍｍとすることが好ましい。
【００７２】
図示例のように胴周り下部にウエスト部弾性伸縮部材１７を配する場合は、切り開き部１０１に少なくとも１本の弾性伸縮部材１７が位置するように配することが好ましい。
【００７３】
切り開き部を形成する切り離し線ＣＬは、ミシン目線として形成することが好ましい。図６に示すように、切り離し線ＣＬは、三層部分ＴＬにおける外側から二層にのみ配し、内側の一層には設けない構造とすることで、切り開き部１０１Ｌ，１０１Ｒを二層構造とする。切り離し線ＣＬは、使用者が切り離すときに係る力が０．１〜１０ｋｇｆ／２５ｍｍ以下、望ましくは０．５〜３．０ｋｇｆ／２５ｍｍとなるように形成するのが好ましい。
【００７４】
図５，６におけるドット部分は、接着剤等により接合された部分を示している。図示例のように、切り開き部１０１を形成する二層のうち内側の層は、当接する内側の層に接合しない構造とする。
【００７５】
切り離し線ＣＬを切り離した状態を図１０に示す。切り開き部１０１は、起端部において幅方向外側に折り返すことで、両末端をおむつの幅方向外側に延出させることができる。切り開き部１０１を折り返すことで、外装シート生じた開口１０２からは、図示例においては、当該開口より、液不透過性シート１１、バリヤーシート６２及び外装シートの折り返し部分１２ｒが露出している。このように、開口１０２は、内側になんら部材を有しない完全な開口とならないように形成することが好ましい。
【００７６】
図１１，１２に、後処理の手順を概略的に示す。使用後、切り開き部１０１は、切り離し線により後身頃Ｂの外装シートから切り開かれ、おむつの左右側端より延出させられる。使用後のおむつは２つ折りにした状態で前後方向中央部分から前端側に向かって丸められる。丸められたおむつは、２本の帯状の切り開き部１０１が、おむつの側端に係るように前身頃側に伸ばされ、幅方向中央付近で互いに結束させられることにより、丸められた状態で固定される。
【００７７】
＜第２の形態＞
図１３に第２の形態の背面図（図１３（Ａ））及び接合部１２Ａの拡大図（図１３（Ｂ））を示す。第２の実施形態に係るおむつは、切り開き部１０１の起端部を幅方向中央側に、その末端を幅方向側端に有する。本形態の場合、切り開き部１０１の起端部を伸縮性を有しない部分にまで延在させても、後処理手段としての性能に変わりはなく、かえって切り開き部１０１が外装シートから脱落しやすくなるというリスクの方が高くなる。したがって、弾性伸縮部材１７が配された伸縮部分にのみ設けることが好ましい。
【００７８】
パンツタイプ使い捨ておむつは、使用後に接合部１２Ａを剥離して処理するのが一般的である。本実施形態の場合、接合部１２Ａを剥離した後、切り離し線ＣＬを切り離すことで、切り開き部１０１を切り開くことが可能である。
【００７９】
接合部１２Ａは、図１３（Ａ）に示すように幅方向に平行な多数の線状のヒートエンボス１２Ｅが配されることにより形成される。接合部１２Ａを剥がす際、外装シートは、このヒートエンボス１２Ｅの部分から幅方向に沿って切れやすい、という特徴がある。この特徴を利用し、切り離し線ＣＬをヒートエンボス１２Ｅと重なるように配することで、切り離し線ＣＬの切り離しをより容易にすることができる。
【００８０】
また、接合部１２Ａはヒートエンボスによる接合以外に、超音波による接合等、公知の接合方法をいずれも使用できる。
【００８１】
＜第３の形態＞
図１４に第３の形態の背面図を示す。第３の実施形態に係るおむつは、切り開き部１０１を長方形に囲むように切り離し線が配されており、その末端を幅方向中央側にすることも、側端側にすることもできる構成を有する。切り開き部１０１の末端を幅方向中央側に設ける形態の方が、切り開き部１０１をより長くおむつの幅方向外側へ延出させることができるので好ましいものの、接合部１２Ａを剥がす際に、接合部近傍の切り開き部１０１の起端が切れてしまい、切り開き部１０１が外装シートから脱落する可能性もある。この場合、本実施形態は、選択的に切り開き部１０１の幅方向中央側を起端部とすることができる。
【００８２】
切り離し線がすべて容易に切り離されてしまうと、切り開き部が外装シートから脱落しやすくなるため、前後方向に延びる切り離し線ＣＬ１を幅方向に延びる切り離し線ＣＬ２より切り離しにくくすることが好ましい。具体的には、使用者が切り離し線ＣＬ１を切り離すために要する力を０．５〜１０ｋｇｆ／２５ｍｍ以下、望ましくは１．０〜５．０ｋｇｆ／２５ｍｍとすることが好ましい。
【００８３】
＜第４の形態＞
図１５に第４の形態を示す。第４の実施形態は、いずれか一方の切り開き部１０１の内側面に係止手段１０３を有する。係止手段としては、外装シートが不織布よりなる場合は面ファスナーのフックテープを好適に使用できる。また、これに替えて、粘着テープ及び剥離シートを配してもよい（図示せず）。図示例においては係止手段１０３の内側の当接面は液不透過性シート１１である。液不透過性シート１１がポリエチレン等のプラスチックフィルムである場合は、フックテープとシート１１とが不要な係止を生じ、切り開き部１０１の切り開きが困難になる可能性は低い。
【００８４】
図示例の場合、後処理時に、係止手段を有する切り開き部１０１の外側にもう一方の切り開き部を重ねることにより容易に廃棄状態（丸められた状態）を固定することが可能である。
【００８５】
＜第５の形態＞
図１６に第５の形態を示す。第５の実施形態は、前身頃Ｆと後身頃Ｂの両方に切り開き部１０１を有する。後処理において、二つ折りにしたおむつを前後方向中央部より前端側に向かって丸めるのが好ましいが、使用者が後端側に向かって丸める可能性もある。この場合であっても、前身頃Ｆにも切り開き部１０１を設けることで、適切におむつの廃棄状態を保持することが可能である。
【産業上の利用可能性】
【００８６】
本発明は、上記例のようなパンツタイプ使い捨ておむつに適用できるものである。
【符号の説明】
【００８７】
１１…液不透過性シート、１２…外装シート、１２ｒ…折り返し部分、２００…内装体、３０…表面シート、４０…中間シート、５０…吸収要素、５６…吸収体、５８…包装シート、６０…側部バリヤーカフス、６２…バリヤーシート、１０１…切り開き部。
【図１】
0005875763.tif 000002
【図２】
0005875763.tif 000003
【図３】
0005875763.tif 000004
【図４】
0005875763.tif 000005
【図５】
0005875763.tif 000006
【図６】
0005875763.tif 000007
【図７】
0005875763.tif 000008
【図８】
0005875763.tif 000009
【図９】
0005875763.tif 000010
【図１０】
0005875763.tif 000011
【図１１】
0005875763.tif 000012
【図１２】
0005875763.tif 000013
【図１３】
0005875763.tif 000014
【図１４】
0005875763.tif 000015
【図１５】
0005875763.tif 000016
【図１６】
0005875763.tif 000017
【図１７】
0005875763.tif 000018